(57)【特許請求の範囲】
【請求項１】
化学気相成長法を用い、ダイヤモンド又はシリコンで基板をコーティングするデバイスであって、
第１の電極（１）から第２の電極（６）へ長手延長方向に延在する複数の熱伝導体（２）からなる熱伝導体アレイが、ハウジング（９）内に提供され、
前記熱伝導体（２）が、その一端上に装着されたウェイト（４）によって個別にぴんと張った状態に保たれ、
前記ウェイト（４）によって生成されるウェイトフォース（Ｇ）のベクトルが前記熱伝導体（２）の長手延長方向と５°以上４５°以下の角度（α）を形成するように、前記ウェイト（４）又は前記熱伝導体（２）が前記第２の電極（６）に案内されて電気的摺動接触が形成されることを特徴とするデバイス。
【請求項２】
前記熱伝導体（２）又は前記ウェイト（４）を前記第２の電極（６）に押し付ける接触力（Ｋ）が、前記ウェイト（４）によって発生する、請求項１に記載のデバイス。
【請求項３】
前記ウェイト（４）又は前記熱伝導体（２）が、前記第２の電極（６）上に提供された凹部（５）の内壁に摺動変位可能に接触する、請求項１又は２に記載のデバイス。
【請求項４】
前記凹部（５）が、丸い断面を有する、請求項１乃至３の何れかの項に記載のデバイス。
【請求項５】
前記凹部（５）が、前記第２の電極（６）内に提供されたブレークスルーである、請求項１乃至４の何れかの項に記載のデバイス。
【請求項６】
前記熱伝導体（２）が、前記ブレークスルーを通して案内される、請求項１乃至５の何れかの項に記載のデバイス。
【請求項７】
前記ウェイト（４）が、円柱状に設計される、請求項１乃至６の何れかの項に記載のデバイス。
【請求項８】
前記ウェイト（４）の外径が、前記凹部（５）の内径よりも小さい、請求項１乃至７の何れかの項に記載のデバイス。
【請求項９】
前記ウェイトフォース（Ｇ）のベクトルが、前記熱伝導体（２）の長手延長方向に対して５°〜３５°の角度（α）を形成する、請求項１乃至８の何れかの項に記載のデバイス。
【請求項１０】
前記ウェイトフォース（Ｇ）のベクトルが、前記熱伝導体（２）の長手延長方向に対して１０°〜２０°の角度（α）を形成する、請求項９に記載のデバイス。
【請求項１１】
２つの隣接する熱伝導体（２）が、前記第１の電極（１）の領域内付近で屈曲し、前記第２の電極（６）の領域内で両端にウェイト（４）を備えた単一のワイヤで構成される、請求項１乃至１０の何れかの項に記載のデバイス。
【請求項１２】
前記熱伝導体（２）が、Ｗ、Ｔａ、Ｍｏ、Ｒｈ若しくはこれらの合金の何れかである、請求項１乃至１１の何れかの項に記載のデバイス。
【請求項１３】
前記熱伝導体（２）が、５μｍ〜５００μｍの直径を有する、請求項１乃至１２の何れかの項に記載のデバイス。
【請求項１４】
前記熱伝導体（２）が、１００μｍ〜３００μｍの直径を有する、請求項１３に記載のデバイス。
【請求項１５】
前記第１の電極（１）が、前記第２の電極（６）の上に位置し、前記熱伝導体（２）が、前記第１の電極（１）と前記第２の電極（６）との間に鉛直方向に延在する、請求項１乃至１４の何れかの項に記載のデバイス。
【請求項１６】
前記第１の電極（１）及び／又は第２の電極（６）が、分散強化銅材料で構成される、請求項１乃至１５の何れかの項に記載のデバイス。
【請求項１７】
前記第１の電極（１）及び／又は第２の電極（６）を冷却する冷却ユニットが提供される、請求項１乃至１６の何れかの項に記載のデバイス。
【請求項１８】
前記熱伝導体アレイが、モジュールとして設計される、請求項１乃至１７の何れかの項に記載のデバイス。
【請求項１９】
請求項１乃至１８の何れかの項に記載のデバイスを用い、化学気相成長法を用いてダイヤモンド又はシリコンで基板をコーティングする方法であって、
ハウジング（９）を真空引きするステップと、
前記ハウジング（９）内に水素と、ガス状のカーボン担体又はシリコン担体とを含有する反応性ガス雰囲気を生成するステップと、
熱伝導体（２）を１〜１００時間の保持時間にわたって周囲温度から１５００℃〜２８００℃の範囲の温度まで加熱するステップと、
前記ハウジング（９）を真空引きするステップと、
前記熱伝導体（２）を周囲温度まで冷却するステップと、
の各ステップが実行される方法。
【請求項２０】
前記反応性ガス雰囲気が、ホウ素及び／又はリンを含有する、請求項１９に記載の方法。
【発明の詳細な説明】
【技術分野】
【０００１】
本発明は、化学気相成長法（以下、「ＣＶＤ」という）を用い、基板をコーティングするデバイス、特にダイヤモンド又はシリコンで基板をコーティングするデバイス及び該デバイスを使用する方法に関する。
【背景技術】
【０００２】
このようなデバイスは、特開平０１−０７２９９２号公報から知られている。それにより、熱伝導体はコーティングする基板の上方に水平状に位置する。好適な緊張力を生成するために、熱伝導体は再誘導ユニット上を案内され、その一端にウェイトを備える。従来技術のデバイスは、１〜２回のコーティング工程ですでに破壊され、もはや使用できないという欠点を有する。実際には、コーティング工程のたびに熱伝導体を交換する必要がある。これには多大な時間と費用がかかる。
【０００３】
上記の欠点を解消するために直径が約２ｍｍの比較的厚い熱伝導体を使用することが考えられるが、そのような比較的厚い熱伝導体の使用にも欠点がある。薄い熱伝導体と違って、厚い熱伝導体は基板に悪影響を与える比較的大量の熱放射を発生する。これとは別に、より厚い配線を加熱するにははるかに大量の電力が必要である。
【先行技術文献】
【特許文献】
【０００４】
【特許文献１】特開平０１−０７２９９２号公報
【発明の概要】
【発明が解決しようとする課題】
【０００５】
本発明の目的は、従来技術の欠点を解消することである。特に、熱伝導体を交換する必要なしに基板のマルチコーティングを可能にするデバイスを提供することである。
【課題を解決するための手段】
【０００６】
したがって、本発明の別の目標によれば、使用する電力量はできるだけ低くしなければならない。本発明の別の目的は、ＣＶＤを用いて基板をコーティングする可能な限り効率的な方法を提供することである。
【０００７】
本発明の提供によれば、ウェイトによって生成されるウェイトフォースのベクトルが熱伝導体の長手延長方向と４５°以下の角度を形成するように、ウェイト又は熱伝導体が第２の電極に案内されて電気的摺動接触が形成される。薄い熱伝導体を使用した場合であっても、これは驚くほど大幅にその寿命を延ばす。熱伝導体と第２の電極との間に電気的摺動接触が提供されているので、熱伝導体の全長の熱誘導変化は加熱及び冷却中に補償できる。本発明では、ウェイトによって生成されるウェイトフォースは、本質的に熱伝導体の長手延長方向に作用する。言い換えれば、ウェイトによって発生する緊張力は、鋭い屈曲によって熱伝導体に作用することがない。また、特に、ほぼ熱伝導体の長手延長方向に沿ったウェイトフォースのアライメントは、その寿命の改善に大幅に寄与する。本発明によって提供されるデバイスによって、熱伝導体は確実にぴんと張って正確に保たれ、特に正確に互いに平行に保たれる。動作周期を複数回実行した後でも、熱伝導体は垂れ下がることがない。熱伝導体とコーティングする基板との距離は、複数のコーティング工程にわたって再現可能に一定に保たれている。
【０００８】
有利な実施形態によれば、熱伝導体又はウェイトを第２の電極に押し付ける接触力はウェイトによって発生する。これは、第２の電極に対する熱伝導体の長手延長方向を鉛直方向に対してわずかに調整するという特に簡単な方法で達成できる。この場合、２つの電極間にクランプさられた熱伝導体上に作用する緊張力のベクトルは、ウェイトフォースのベクトルに対して斜めである。ここで緊張力は、ウェイトフォースと接触力との合力を表す。
【０００９】
有利な実施形態によれば、ウェイト又は熱伝導体は第２の電極上に提供された凹部の内壁に摺動変位可能に接触する。凹部は、例えば、熱伝導体がその中で案内されるスリット様の凹部であってもよい。有利には、凹部は本質的に丸い断面を有する。それは、第２の電極上のブレークスルーとして設計できる。この例では、熱伝導体は、このブレークスルーを通して案内できる。
【００１０】
別の実施形態によれば、ウェイトを円柱状に形成してもよい。この場合、ウェイトの外径は凹部の内径よりも小さい。その結果、例えばウェイトを凹部内で案内できる。
【００１１】
本発明の主題によれば、第２の電極の領域内での熱伝導体の屈曲を可能な限りわずかに抑えることが有利であると考えられる。ウェイトフォースのベクトルは、熱伝導体の長手延長方向に対して有利には５°〜３５°の角度、好ましくは１０°〜２０°の角度を形成する。
【００１２】
別の有利な実施形態によれば、２つの隣接する熱伝導体が、第１の電極の領域内で屈曲し、第２の電極の領域内で両端にウェイトを備えた単一のワイヤから形成される。例えば、ワイヤを第１の電極上の２つの別の隣接するブレークスルーを通して案内できる。次に、ワイヤの両端を例えば第２の電極上に提供されたブレークスルーを通して案内し、第２の電極上に延在する両端にウェイトを付けることができる。上記のブレークスルーの代わりにスリットタイプの凹部を提供してもよいことは言うまでもない。
【００１３】
別の実施形態によれば、熱伝導体は、耐熱金属製、好ましくはＷ、Ｔａ、Ｍｏ、Ｒｈ又はそれらの合金製である。例示の材料は、一方では、特に薄いワイヤを製造するのに適しており、他方では、高い熱応力にさらすことができる。
【００１４】
熱伝導体は、有利には、直径が５μｍ〜５００μｍの範囲、好ましくは１００μｍ〜３００μｍの範囲のワイヤである。特に、直径が小さい熱伝導体を使用する場合、基板をコーティングするのに必要な電力を大幅に低減することができる。同時に、原子状水素の生成を助ける熱伝導体の高温状態を達成できる。
【００１５】
熱伝導体は、必ずしもワイヤの形態で設計しなければならないということはない。熱伝導体は、帯、棒又はシートの形態で設計してもよい。熱伝導体の直径又は断面積は、長手延長方向にわたって同じである必要はない。
【００１６】
別の実施形態によれば、第１の電極上に熱伝導体の他端を装着するホルダユニットが提供される。これは有利にはクランプによって熱伝導体を装着するユニットであってもよい。ホルダユニットは特に、熱伝導体の装着が本質的に熱伝導体を曲げることなく可能であるように設計できる。
【００１７】
本発明によって提供されるデバイスでは、第１の電極は有利には第２の電極の上に位置する。熱伝導体は第１及び第２の電極の間に本質的に鉛直方向に延在する。熱伝導体は鉛直方向に対してわずかに斜めになっていてもよい。鉛直方向に対する傾斜角は普通２０°未満である。
【００１８】
本発明の別の実施形態によれば、第１及び／又は第２の電極は分散強化銅材料から構成される。また、提案された分散強化銅材料は、高温時にも極めて安定した形状を維持する。これとは別に、被加工物、特にプロファイル又は中空のプロファイルをそのような材料から簡単にかつ安価に押し出すことができる。
【００１９】
第１及び／又は第２の電極を冷却する冷却ユニットが有利には提供される。このために、第１及び／又は第２の電極は、例えば、冷却流体が流れる中空のプロファイルの形状であってもよい。冷却流体は有利には水である。
【００２０】
別の実施形態によれば、熱伝導体アレイがモジュールとして設計される。言い換えれば、第１及び第２の電極が例えば側面に装着された支持体によって永久的に相互に接続され、構造的ユニットを形成する。このような構造的ユニットは、有利には、ＣＶＤコーティングデバイスの従来のハウジング内に位置するように設計される。
【００２１】
本発明の別の形態によれば、ＣＶＤを用いて基板をコーティングする方法、特にダイヤモンド又はシリコンでコーティングする方法であって、本発明によって提供されるデバイスを用いて、ハウジングを真空引きするステップと、ハウジング内に水素とガス状のカーボン担体とを含有する反応性ガス雰囲気を生成するステップと、熱伝導体を１〜１００時間の保持時間にわたって周囲温度から１５００℃〜２８００℃の範囲の温度まで加熱するステップと、ハウジングを真空引きするステップと、熱伝導体を周囲温度まで冷却するステップと、が実行される方法が提供される。
【００２２】
ハウジングの真空引き中に、約０．１〜４００ミリバールの範囲の圧力が内部に設定される。反応性ガス雰囲気を生成する時の圧力は、１〜４００ミリバール、好ましくは３〜２０ミリバールである。反応性ガス雰囲気は、有利には９０〜９９．５重量パーセントの水素を含有する。ダイヤモンドの層を製造するために、カーボン担体として例えば濃度が０．５〜１０重量パーセントのメタンを使用できる。シリコン層を製造するために、反応性ガス雰囲気は、ガス状のカーボン担体の代わりにガス状のシリコン担体を含有してもよい。また任意選択として、反応性ガス雰囲気は窒素、酸素、リン、又はホウ素を含むガスを含有してもよい。
【００２３】
熱伝導体は、有利には１８００℃〜２５００℃の範囲の温度、好ましくは１９００℃〜２３００℃の範囲の温度まで加熱される。特に指定された高温では、気相から熱伝導体への黒鉛析出が回避される。これによって、特に気相内のカーボン担体の濃度が高くても熱伝導体上の原子状水素の生成が確実に維持される。熱伝導体の周囲温度までの冷却は、有利には真空内で、言い換えれば反応性ガス雰囲気外で実行される。熱伝導体の周囲温度までの冷却後に、ハウジングは空気に当てられる。次に、コーティングされた基板が取り外される。
【００２４】
上記方法の別の実施形態の特徴のために、上記方法にその特徴が適用可能なデバイスの特徴について説明する。
【００２５】
本発明によって提供される方法を用いて、熱伝導体を交換する必要なしに、最大５０のコーティング工程を順次実行することができる。有利には、熱伝導体はそれによって常にぴんと張った状態を保つ。
【００２６】
図面に基づいて幾つかの例を用いて本発明を詳述する。図は以下の通りである。
【図面の簡単な説明】
【００２７】
【図１】第１のデバイスの概略図である。
【図２】図１のウェイトの上面図である。
【図３】第２のデバイスの概略図である。
【図４】図３の別のウェイトの上面図である。
【図５】図３の詳細図である。
【図６】第３のデバイスの詳細概略図である。
【図７】第４のデバイスの概略図である。
【図８】第４のデバイスの詳細概略図である。
【図９】第５のデバイスの概略図である。
【図１０】ＣＶＤコーティングデバイスの概略断面図である。
【発明を実施するための形態】
【００２８】
図１は、第１のデバイスの概略図を示す。第１の電極１上には、１列に連続して、好ましくは互いに等間隔に、複数の熱伝導体２が装着されている。熱伝導体２は、第１の電極１上に提供されたホルダユニット３内にクランプすることで保持できる。熱伝導体２は、その両端に提供されたウェイト４によって個別にぴんと張った状態に保持されている。円柱状に設計されたウェイト４は、第２の電極６上に提供されたそれに対応する凹部５内で摺動変位可能に案内される。ここで、第２の電極６は、第１の電極１を通過する鉛直平面に第１の電極１の下に位置する。凹部５は、ウェイト４の軸方向に対して直線状の接触線又は接触面を有する。第１の電極１上のホルダユニット３及び第２の電極６上の凹部５は、熱伝導体２が本質的に平行に配置されてぴんと張った状態に保持されるように設計されている。
【００２９】
図２は、図１のウェイト４の上面図を示す。図２から分かるように、熱伝導体２は、ウェイト４の重心外に装着される。これによって、ウェイト４を凹部５の内面に押し付ける傾斜モーメントが発生する。その結果、傾斜モーメントは、第２の電極６とウェイト４又はその上に装着された熱伝導体２との間に電気摺動接触が発生するように計算される。熱伝導体２の全長の熱誘導変化によって、それぞれのウェイト４は、それぞれの凹部５の内面に沿って直線状に摺動する。
【００３０】
図３及び図４は、第２のデバイスの概略図を示す。第１の電極１及び第２の電極６は、同じ鉛直平面内に位置する。しかし、第２の電極６上に提供された凹部５は、第１の電極１上のホルダユニット３に対してわずかに水平方向に千鳥配列されている。この例では、熱伝導体２は、図４に示すように、円柱状のウェイト４の中心に装着できる。第１の電極１及び第２の電極６の千鳥配列のために、今度はウェイト４上に傾斜モーメントが作用し、ウェイト４を凹部５の内壁に押し付ける接触力Ｋが発生する。また、熱伝導体２の全長の熱誘導変化による凹部５内のウェイト４の垂直運動が常時可能であり、熱伝導体２が常にぴんと張った状態に保たれるように接触力Ｋが選択される。ここでもまた、熱伝導体２の全長にわたる熱誘導変化があった場合に、直線状の接触線又は接触面に沿ってウェイト４が凹部５の内壁上を移動する。このようなウェイト４と第２の電極６との間の接触面の直線的な形成は、特に低い摩擦損失に寄与する。したがって、熱伝導体２は、常にぴんと張った状態に保たれる。
【００３１】
図５は、図３の詳細図を示す。熱伝導体２上に作用する緊張力Ｓのベクトルが熱伝導体２の長手延長方向に平行に走っていることが分かる。これとは対照的に、ウェイト４によって生成されるウェイトフォースＧのベクトルは常に鉛直方向に走っている。熱伝導体２の長手延長方向とウェイトフォースＧのベクトルとがなす角度はαと呼ばれる。本発明においては、「長手延長」という用語は、熱伝導体２が第１の電極１から第２の電極６へ軌跡を描く方向を意味する。
【００３２】
Ｋは、ウェイト４が凹部５の内壁に押し付けられるウェイトフォースＧのベクトルに垂直に走る接触力のベクトルである。接触力Ｋは、角度αとウェイトフォースＧとによって変化する。角度αは、有利には１０°〜２０°の範囲から選択される。この実施形態では、摺動接触するウェイト４の運動は直線状に、ウェイトフォースＧのベクトルに平行に発生する。
【００３３】
図６は、第３のデバイスの詳細図を示す。ここでも円筒形に形成された凹部５の軸は、熱伝導体２の長手延長方向に平行に配置される。この例では、接触力Ｋのベクトルは、緊張力Ｓのベクトルに垂直である。また、ここで、ウェイト４は凹部５の内壁に押し付けられ、したがって、一方で、熱伝導体２はウェイト４でぴんと張った状態に保たれ、他方で、電気摺動接触が確立される。これにより、ウェイト４は接触面に沿って直線的に動く。
【００３４】
図７及び図８は、第４のデバイスを示す。ここでは、第２の電極６上の凹部５は、ブレークスルーの形態に設計されている。次に、第１の電極１上のホルダユニット３は、対応する凹部５に対して千鳥配列され、第１の電極１と第２の電極６との間の熱伝導体２は、鉛直方向ではなく鉛直方向からわずかに逸れた斜め方向にぴんと張った状態に保持される。熱伝導体２は、第２の電極６上に提供されたブレークスルー５を通して案内される。ウェイト４は各々、熱伝導体２の両方の自由端上の第２の電極６の下に装着されている。熱伝導体２と凹部５との間の接触線又は接触面もここで直線状に設計されている。これは熱伝導体２の寿命を延ばす。同時に、熱伝導体２の全長の熱誘導変化の等化中に摩擦抵抗が低減する。
【００３５】
図８に示すように、この構成では、ウェイトフォースＧに垂直に熱伝導体２上に作用する接触力Ｋが発生し、接触力Ｋは熱伝導体２をブレークスルー５の内壁に押し付ける。ここで、電気摺動接触が、熱伝導体２と第２の電極６との直近間に形成される。
【００３６】
図９は、第５のデバイスの概略図を示す。ここでは、第１の電極１は第２の電極６の上にあるが、第２の電極６と同じ鉛直平面にはない。言い換えれば、第１の電極１上に提供されるホルダユニット３は、熱伝導体２が鉛直平面内ではなく空間内に斜めに配置されるように、第２の電極６上の対応する凹部５に対して千鳥配列されている。その結果、鉛直方向に対する熱伝導体２の傾斜角は、有利には４５°未満、好ましくは３０°未満である。また、この例では、図５に示す実施形態の例と同様に、ウェイト４を凹部５の内面に押し付ける接触力Ｋが発生する。コーティングする基板がそれに対して水平に配置された斜めの平面上の熱伝導体２の提案された構成を用いて、基板上に増加又は減少するコーティング厚を実現できる。
【００３７】
図１０は、ＣＶＤコーティングデバイスの概略図を示す。ここでは、第１の電極１及び第２の電極６は支持体７を介して互いに接続され、電気絶縁手段８の相互接続を有する。上部に装着された熱伝導体２と共に、第１の電極１及び第２の電極６は、ここでは防気ハウジング９内に設置された熱伝導体アレイを形成する。ハウジング９を真空引きするポンプ１０が提供される。参照符号１１は、所望に応じて反応性ガスをハウジング９内に引き込むためのパイプである。第１の電極１及び第２の電極６は、熱伝導体２を加熱するための電源１２に接続されている。
【符号の説明】
【００３８】
１  第１の電極
２  熱伝導体
３  ホルダユニット
４  ウェイト
５  凹部
６  第２の電極
７  支持体
８  電気絶縁手段
９  ハウジング
１０  ポンプ
１１  パイプ
１２  電源
α  角度
Ｇ  ウェイトフォース
Ｋ  接触力
Ｓ  緊張力
【図１】
0005603340.tif 000002
【図２】
0005603340.tif 000003
【図３】
0005603340.tif 000004
【図４】
0005603340.tif 000005
【図５】
0005603340.tif 000006
【図６】
0005603340.tif 000007
【図７】
0005603340.tif 000008
【図８】
0005603340.tif 000009
【図９】
0005603340.tif 000010
【図１０】
0005603340.tif 000011